(57)【要約】      （修正有）【課題】ディジタル・メディア・サーバからディジタル・メディア・レンダラにビデオ・コンテンツを出力する方法を提供する。【解決手段】ディジタル・メディア・レンダラを選択するためのディジタル・メディア・コントローラを提供する工程と、ディジタル・メディア・コントローラから選択されたディジタル・メディア・レンダラへの再生要求を送出する工程とを含み、選択されたディジタル・メディア・レンダラは、再生要求の受信に応じて上記ディジタル・メディア・サーバからデータを要求し、ディジタル・メディア・サーバはビデオをキャプチャし、オーディオをキャプチャする。キャプチャされたビデオ及びキャプチャされたオーディオを符号化する工程と、ディジタル・メディア・サーバから、選択されたディジタル・メディア・レンダラに出力する工程と、選択されたディジタル・メディア・レンダラ上で、ビデオ及びオーディオを再生する工程とを更に含む。【選択図】図１
2013106344.tif 000002
【特許請求の範囲】
【請求項１】
ディジタル・メディア・サーバ（ＤＭＳ）からディジタル・メディア・レンダラ（ＤＭＲ）にビデオ・コンテンツを出力する方法であって、前記方法は、
ビデオ再生のためのＤＭＲを選択するためのディジタル・メディア・コントローラ（ＤＭＣ）を提供する工程と、
前記ＤＭＣから、前記選択されたＤＭＲに再生要求を送出する工程と、
前記選択されたＤＭＲが、前記ＤＭＣからの前記再生要求の受信に応じて前記ＤＭＳからのデータを要求する工程と、
前記ＤＭＳがビデオをキャプチャし、オーディオをキャプチャする工程と、
前記ＤＭＳが、前記キャプチャされたビデオ及び前記キャプチャされたオーディオを符号化して、符号化されたビデオ及び符号化されたオーディオを生成する工程と、
前記符号化されたビデオ及び前記符号化されたオーディオを前記ＤＭＳから前記選択されたＤＭＲに出力する工程と、
前記選択されたＤＭＲ上で前記符号化されたビデオ及び前記符号化されたオーディオを再生する工程と
を含む方法。
【請求項２】
請求項１記載の方法であって、前記ＤＭＳはコンピュータである方法。
【請求項３】
請求項２記載の方法であって、前記ＤＭＳがビデオをキャプチャする工程は、前記コンピュータが、前記コンピュータのディスプレイ上に示されたビデオ・コンテンツをキャプチャする工程を含む方法。
【請求項４】
請求項１記載の方法であって、前記ディジタル・リビング・ネットワーク・アライアンス（ＤＬＮＡ）プロトコルは、前記ＤＭＣと、前記ＤＭＳと、前記選択されたＤＭＲとの間の通信のために使用される方法。
【請求項５】
請求項１記載の方法であって、前記ＤＭＳは、Ｈ．２６４又は動画像専門家グループ−２（ＭＰＥＧ−２）ビデオ形式で前記キャプチャされたビデオを符号化する方法。
【請求項６】
請求項１記載の方法であって、前記ＤＭＳは、前記キャプチャされたオーディオを前記高度オーディオ符号化（ＡＡＣ）、動画像専門家グループ（ＭＰＥＧ）、又はパルス符号変調（ＰＣＭ）オーディオ形式で符号化する方法。
【請求項７】
請求項１記載の方法であって、前記ＤＭＳは、前記符号化されたビデオ及び前記符号化されたオーディオを前記選択されたＤＭＲに出力する前に前記符号化されたビデオ及び前記符号化されたオーディオをデータ・コンテナに合成する方法。
【請求項８】
請求項７記載の方法であって、前記データ・コンテナは、動画像専門家グループ（ＭＰＥＧ）伝送ストリーム（ＴＳ）、プログラム・ストリーム（ＰＳ）、又は動画像専門家グループ−４（ＭＰＥＧ−４）ストリーミング・データ・コンテナである方法。
【請求項９】
請求項１記載の方法であって、前記選択されたＤＭＳはテレビジョンである方法。
【請求項１０】
請求項１記載の方法であって、前記選択されたＤＭＲが前記符号化されたビデオ及び前記符号化されたオーディオを再生している間に再生を停止するよう、ＤＭＣが、前記選択されたＤＭＲを制御する場合、前記ＤＭＳは、前記符号化されたビデオ及び前記符号化されたオーディオの生成を停止する方法。
【請求項１１】
ビデオ・コンテンツを共有するためのメディア共有システムであって、
ビデオ再生のためのディジタル・メディア・レンダラ（ＤＭＲ）を選択し、前記ＤＭＣから、前記選択されたＤＭＲに再生要求を送出するディジタル・メディア・コントローラ（ＤＭＣ）と、
前記選択されたＤＭＲからのデータ要求の受信に応じてビデオをキャプチャし、オーディオをキャプチャするディジタル・メディア・サーバ（ＤＭＳ）であって、前記ＤＭＳは前記キャプチャされたビデオ及び前記キャプチャされたオーディオを符号化して、符号化されたビデオ及び符号化されたオーディオそれぞれを生成し、前記ＤＭＳは前記符号化されたビデオ及び前記符号化されたオーディオを前記選択されたＤＭＲに出力するディジタル・メディア・サーバと
を備え、前記選択されたＤＭＲは、前記ＤＭＳから前記符号化されたビデオ及び前記符号化されたオーディオの受信に応じて前記符号化されたビデオ及び前記符号化されたオーディオを再生するメディア共有システム。
【請求項１２】
請求項１記載のメディア共有システムであって、前記ＤＭＳはコンピュータであるメディア共有システム。
【請求項１３】
請求項１２記載のメディア共有システムであって、前記ＤＭＳがビデオをキャプチャする構成は、前記コンピュータが、前記コンピュータのディスプレイ上に示されたビデオ・コンテンツをキャプチャする構成を含むメディア共有システム。
【請求項１４】
請求項１記載のメディア共有システムであって、ディジタル・リビング・ネットワーク・アライアンス（ＤＬＮＡ）プロトコルは、前記ＤＭＣと、前記ＤＭＳと、前記選択されたＤＭＲとの間の通信のために使用されるメディア共有システム。
【請求項１５】
請求項１記載のメディア共有システムであって、前記ＤＭＳは、Ｈ．２６４又は動画像専門家グループ−２（ＭＰＥＧ−２）ビデオ形式で前記キャプチャされたビデオを符号化するメディア共有システム。
【請求項１６】
請求項１記載のメディア共有システムであって、前記ＤＭＳは、前記キャプチャされたオーディオを高度オーディオ符号化（ＡＡＣ）、動画像専門家グループ（ＭＰＥＧ）、又はパルス符号変調（ＰＣＭ）オーディオ形式で符号化するメディア共有システム。
【請求項１７】
請求項１記載のメディア共有システムであって、前記ＤＭＳは、前記符号化されたビデオ及び前記符号化されたオーディオを前記選択されたＤＭＲに出力する前に前記符号化されたビデオ及び前記符号化されたオーディオをデータ・コンテナに合成するメディア共有システム。
【請求項１８】
請求項１７記載のメディア共有システムであって、前記データ・コンテナは、動画像専門家グループ（ＭＰＥＧ）伝送ストリーム（ＴＳ）、プログラム・ストリーム（ＰＳ）、又は動画像専門家グループ−４（ＭＰＥＧ−４）ストリーミング・データ・コンテナであるメディア共有システム。
【請求項１９】
請求項１記載のメディア共有システムであって、前記選択されたＤＭＲはテレビジョンであるメディア共有システム。
【請求項２０】
請求項１記載のメディア共有システムであって、前記選択されたＤＭＲが前記符号化されたビデオ及び前記符号化されたオーディオを再生している間に再生を停止するよう、ＤＭＣが、前記選択されたＤＭＲを制御する場合、前記ＤＭＳは、前記符号化されたビデオ及び前記符号化されたオーディオの生成を停止する方法。
【発明の詳細な説明】
【技術分野】
【０００１】
本発明は、メディア共有システムに関し、特に、ディジタル・メディア・サーバからの画面コンテンツをキャプチャし、ディジタル・メディア・レンダラ上で再生するためにディジタル・メディア・レンダラにビデオ・コンテンツを出力する方法に関する。
【背景技術】
【０００２】
消費者向エレクトロニクスが一層普及するにつれ、種々の装置間の通信又は共有を可能にするために電子装置を連結する傾向が存在している。しかし、２つ以上の装置を連結することは常に単純な作業である訳でない。
【０００３】
例えば、テレビジョン（ＴＶ）にコンピュータを接続するために、直接ケーブル接続又は無線ディスプレイ（ＷｉＤｉ）接続が必要である。直接ケーブル接続は不都合でもあり、一装置から別の装置にケーブルを走らせることが必要であり、これは高価かつ目障りであり得る。更に、コンピュータとＴＶとの間の通信のためのＷｉＤｉ要件をサポートするために、コンピュータ及びＴＶについて特殊なハードウェア要件が関係する。これは、新たなハードウェアを買うか、又は、既存の装置に対する改良を必要とし得る。
【発明の概要】
【発明が解決しようとする課題】
【０００４】
したがって、本願に係る発明の主な目的の１つは、ディジタル・メディア・サーバからの画面コンテンツをキャプチャし、ディジタル・メディア・レンダラ上で再生するためにディジタル・メディア・レンダラにビデオ・コンテンツを出力する方法を提供することである。
【課題を解決するための手段】
【０００５】
本願に係る発明の例示的な実施例によれば、ディジタル・メディア・サーバ（ＤＭＳ）からディジタル・メディア・レンダラ（ＤＭＲ）にビデオ・コンテンツを出力する方法が開示される。上記方法は、ビデオ再生のためのＤＭＲを選択するためのディジタル・メディア・コントローラ（ＤＭＣ）を提供する工程と、ＤＭＣから、選択されたＤＭＲに再生要求を送出する工程とを含み、選択されたＤＭＲは、ＤＭＣからの再生要求の受信に応じてＤＭＳにデータを要求し、ＤＭＳはビデオをキャプチャし、オーディオをキャプチャする。方法は、ＤＭＳが、キャプチャされたビデオ及びキャプチャされたオーディオを符号化して、符号化されたビデオ及び符号化されたオーディオを生成する工程と、ＤＭＳから、選択されたＤＭＲに、符号化されたビデオ及び符号化されたオーディオを出力する工程と、選択されたＤＭＲ上で、符号化されたビデオ及び符号化されたオーディオを再生する工程とを更に含む。
【０００６】
本願に係る発明の別の例示的な実施例によれば、ビデオ・コンテンツを共有するためのメディア共有システムは、ビデオ再生のためにディジタル・メディア・レンダラ（ＤＭＲ）を選択し、ＤＭＣからの再生要求を、選択されたＤＭＲに送出するディジタル・メディア・コントローラ（ＤＭＣ）と、選択されたＤＭＲからデータ要求を受信することに応じてビデオをキャプチャし、オーディオをキャプチャするディジタル・メディア・サーバ（ＤＭＳ）とを含み、上記ＤＭＳは、キャプチャされたビデオ及びキャプチャされたオーディオを符号化して、符号化されたビデオ及び符号化されたオーディオを生成し、ＤＭＳは、符号化されたビデオ及び符号化されたオーディオを、選択されたＤＭＲに出力する。メディア共有システムは更に、ＤＭＳからの、符号化されたビデオ及び符号化されたオーディオの受信に応じて、選択されたＤＭＲが、符号化されたビデオ及び符号化されたオーディオを再生する構成も含む。
【０００７】
本発明が、ハードウェアを交換又は改良する必要なく、ＤＭＳがＤＭＲと通信し、ビデオ・コンテンツをＤＭＲに出力するやり方を提供するという利点がある。ＤＭＲへの送信のために符号化される前に、ビデオ及びオーディオ・コンテンツがＤＭＳによってキャプチャされる。このようにして、ビデオ及びオーディオ・コンテンツは好都合に、ユーザが望む何れの場所からでも再生を制御するためにＤＭＣを使用することにより、ＤＭＲ上で共有することが可能である。
【図面の簡単な説明】
【０００８】
【図１】本発明の例によるメディア共有システムを示すブロック図である。
【図２】本発明による、ＤＭＳからＤＭＲにビデオ・コンテンツを出力する方法を表すフローチャートである。
【発明を実施するための形態】
【０００９】
本発明の前述及び他の目的は、疑いなく、種々の図及び図面に示される、好ましい実施例の以下の詳細な説明を読んだ後、当業者に明らかになるであろう。
【実施例】
【００１０】
図１を参照されたい。図１は、本発明によるメディア共有システム５のブロック図である。メディア共有システム５は、コンピュータを使用して実現することが可能なディジタル・メディア・サーバ（ＤＭＳ）１０と、テレビジョン（ＴＶ）を使用して実現することが可能なディジタル・メディア・レンダラ（ＤＭＲ）２０と、携帯情報端末（ＰＤＡ）、スマート・フォン、タブレット・コンピュータ等などの広い範囲の制御装置を使用して実現することが可能なディジタル・メディア・コントローラ（ＤＭＣ）３０とを含む。ＤＭＳ１０、ＤＭＲ２０、及びＤＭＣ３０それぞれは好ましくは、ディジタル・リビング・ネットワーク・アライアンス（ＤＬＮＡ）プロトコルにより、互いに通信する。
【００１１】
本発明は、使用しやすいと同時に、何れの装置のハードウェアの改良の必要も、新たな機器の購入の必要もなく、ＴＶなどのＤＭＲ２０と、コンピュータなどのＤＭＳ１０との間の通信を可能にするための新たな手法を使用する。ＤＬＮＡプロトコルのサポートは現在、消費者向電子装置の間で非常に一般的であるため、通常のＴＶがＤＭＲ２０としての役目を担い得る。よって、ＩＥＥＥ８０２．１１プロトコルに準拠した「ＷｉＦｉ」接続などの通常の無線ローカル・エリア・ネットワーク（ＷＬＡＮ）を介してＤＭＳ１０としての役目を担うコンピュータ及びＤＭＲ２０間の通信を提供するために使用することが可能である。
【００１２】
本発明では、ＤＭＳ１０としての役目を担うコンピュータは、ビデオ及びオーディオをリアルタイムでキャプチャし、ビデオ及びオーディオをビデオ・ストリームに符号化し、ＤＭＣ３０を使用してＤＭＲ２０上でビデオ及びオーディオを出力して再生を制御するために使用される。ビデオ・コンテンツをキャプチャするために、ＤＭＳ１０としての役目を担うコンピュータは、コンピュータ画面のコンテンツをキャプチャするために画面キャプチャを行うことが可能である。ＤＭＳ１０から出力された後、ビデオ及びオーディオ・データをＤＭＲ２０上で直接再生することが可能であり、更なる機器を使用する必要はない。更に、再生は、ＤＭＳ１０、ＤＭＲ２０、及びＤＭＣ３０が通信する有線又は無線のローカル・エリア・ネットワーク（ＬＡＮ）内でどこでも制御することが可能である。
【００１３】
図２を参照されたい。図２は、本発明による、ＤＭＳ１０からＤＭＲ２０にビデオ・コンテンツを出力する方法を表すフローチャートである。フローチャートにおける工程は以下に説明する。
【００１４】
工程１００：  開始
工程１０２：  自動的に、ＬＡＮ内の利用可能なＤＭＲ２０をサーチする。
【００１５】
工程１０４：  少なくとも１つのＤＭＲ２０が見つかったかを判定する。肯定の場合、工程１０６に進む。さもなければ、工程１０２に戻る。
【００１６】
工程１０６：  ＤＭＣ３０を使用して、再生のためのＤＭＲ２０を選択し、ＤＬＮＡプロトコルを使用して、再生要求を、選択されたＤＭＲ２０に送出する。  
工程１０８：  選択されたＤＭＲ２０は、再生要求応答を受信し、ハイパーテキスト転送プロトコル（ＨＴＴＰ）又はリアルタイム・ストリミング・プロトコル（ＲＴＳＰ）を使用して、ＤＭＳ１０にデータを要求する。
【００１７】
工程１１０：  ＤＭＳ１０は、選択されたＤＭＲ２０からのデータ要求を受信した後、ビデオ・データ及びオーディオ・データをキャプチャし始める。
【００１８】
工程１１２：  キャプチャされたビデオ・データは、Ｈ．２６４、動画像専門家グループ−２（ＭＰＥＧ−２）、ＤＬＮＡ装置によってサポートされる他のビデオ符号化形式を使用してＤＭＳ１０によって符号化され、キャプチャされたオーディオ・データは、高度オーディオ符号化（ＡＡＣ）、ＭＰＥＧ、パルス符号変調（ＰＣＭ）、及びＤＬＮＡ装置によってサポートされる他のオーディオ符号化形式を使用して、ＤＭＳ１０によって符号化される。
【００１９】
工程１１４：  符号化されたビデオ・データ及び符号化されたオーディオ・データは、ＭＰＥＧ伝送ストリーム（ＴＳ）、プログラム・ストリーム（ＰＳ）、ＭＰＥＧ−４、又はＤＬＮＡ装置によってサポートされる他の適切なストリーミング・データ・コンテナ・タイプを使用してデータ・コンテナを形成するよう合成される。ストリーミング・データは次いで、ＤＭＲ２０に送出される。
【００２０】
工程１１６：  ＤＭＲ２０は、ＤＭＳ１０からストリーミング・データを受信した後、再生を開始する。
【００２１】
工程１１８：  ＤＭＲ２０が、ＤＭＣ３０から停止コマンドを受け取ったかを判定する。肯定の場合、工程１２０に進む。否定の場合、工程１０８に進む。
【００２２】
工程１２０：  ＤＭＲ２０は再生を停止し、ＨＴＴＰ／ＲＴＳＰ接続は、ＤＭＲ２０とＤＭＳ１０との間で停止される。  
工程１２２：  ＤＭＳ１０は、ビデオ及びオーディオのキャプチャ及び符号化を停止する。
【００２３】
工程１２４：  終了
効果的には、ＤＬＮＡプロトコルは、ＤＭＳ１０と、ＤＭＲ２０と、ＤＭＣ３０との間の通信を容易にするために使用される。更に、ＤＭＳ１０が、キャプチャされたビデオ・データ及びキャプチャされたオーディオ・データを符号化すると、符号化処理は、ＤＭＳ１０の中央処理装置（ＣＰＵ）上の負荷を削減するためにハードウェア・アクセラレーションを利用することが可能である。キャプチャされたビデオは、区別なしで鮮明なピクチャを確実にするために高品位（ＨＤ）でキャプチャすることが可能である。ビデオ・データ及びオーディオ・データは、ＤＭＳ１０により、リアルタイムでキャプチャされるので、データをキャプチャしている間に受ける遅延はわずかであるか、又はほとんどない。更に、オーディオ・データ及びビデオ・データは、オーディオ・データがビデオ・データと同期がとれてないという問題を避けるために、ＤＭＳ１０からＤＭＲ２０に同時に送信される。何れの数の装置もメディア共有システム５においてサポートすることが可能であり、装置は、有線ＬＡＮ又は無線ＬＡＮを介して接続することが可能である。  
要約すれば、ＤＭＳ１０、ＤＭＲ２０、及びＤＭＣ３０は全て、ＤＬＮＡプロトコルを使用して通信するので、ハードウェアを交換又は改良する必要なしで、ＤＭＳ１０が、ＤＭＲ２０と通信し、ビデオ・コンテンツをＤＭＲ２０に出力するやり方を提供する。ビデオ及びオーディオ・コンテンツは、ＤＭＲ２０に送信されるために符号化される前にＤＭＳ１０によってキャプチャされる。したがって、ビデオは、何れの機器を改良する必要もなしでＤＭＳ１０からＤＭＲ２０に容易に共有することが可能である。  
本発明の教示を維持しながら装置及び方法の数多くの修正及び改変を行うことができるということを当業者は容易に分かるであろう。よって、上記開示は、特許請求の範囲記載の範囲によってのみ限定されると解すべきである。
【図１】
2013106344.tif 000003
【図２】
2013106344.tif 000004